(57)【要約】【課題】  立設したパネルを備え、パネルと設置面の間の隙間及びパネルの連結部の下部の隙間を隠すことができる構造体を提供する。【解決手段】  一方パネルと、他方パネルと、一方カバーと、他方カバーと、パネルコーナー隠し材と、カバーコーナー隠し材を備え、一方パネルと他方パネルは、パネルコーナー隠し材により回動自在に連結してあって、それぞれ立設してあり、一方パネルと他方パネルの下端に、それぞれ設置面との間の隙間を隠す一方カバーと他方カバーを設けてあり、一方カバーと他方カバーは、カバーコーナー隠し材によりパネルコーナー隠し材と同軸上で回動自在に連結してあり、パネルコーナー隠し材の下端に、カバーコーナー隠し材が当接している。【選択図】      図１
2018115431.tif 000002
【特許請求の範囲】
【請求項１】
一方パネルと、他方パネルと、一方カバーと、他方カバーと、パネルコーナー隠し材と、カバーコーナー隠し材を備え、一方パネルと他方パネルは、パネルコーナー隠し材により回動自在に連結してあって、それぞれ立設してあり、一方パネルと他方パネルの下端に、それぞれ設置面との間の隙間を隠す一方カバーと他方カバーを設けてあり、一方カバーと他方カバーは、カバーコーナー隠し材によりパネルコーナー隠し材と同軸上で回動自在に連結してあり、パネルコーナー隠し材の下端に、カバーコーナー隠し材が当接していることを特徴とする構造体。
【請求項２】
一方パネルと、他方パネルと、一方カバーと、他方カバーと、パネルコーナー隠し材と、カバーコーナー隠し材を備え、一方パネルと他方パネルは、パネルコーナー隠し材により回動自在に連結してあって、それぞれ立設してあり、一方パネルと他方パネルの下端に、それぞれ設置面との間の隙間を隠す一方カバーと他方カバーを設けてあり、一方カバーと他方カバーは、カバーコーナー隠し材によりパネルコーナー隠し材と同軸上で回動自在に連結してあり、一方パネルと他方パネルに対して、それぞれ一方カバーと他方カバーが見込方向からネジ止めしてあり、一方カバーと他方カバーに対して、カバーコーナー隠し材が見込方向からネジ止めしてあることを特徴とする構造体。
【発明の詳細な説明】
【技術分野】
【０００１】
本発明は、パネルを立設したフェンスなどの構造体に関する。
【背景技術】
【０００２】
従来、非特許文献１に示すような、パネルを支柱で支持する構造のフェンスにおいては、パネルと設置面の間に隙間が形成されている。
【先行技術文献】
【非特許文献】
【０００３】
【非特許文献１】「エクステリア総合カタログ２０１６−２０１７（ＳＴＸ１０１３Ａ）」、三協立山株式会社、２０１６年３月、ｐ．７６６
【発明の概要】
【発明が解決しようとする課題】
【０００４】
このような従来のフェンスにおいて、パネルと設置面の間の隙間を隠したいという要望があり、特に、パネルの連結部においてもその下部の隙間を隠すことができるものが求められていた。
【０００５】
本発明は、上記事情を鑑みたものであり、立設したパネルを備え、パネルと設置面の間の隙間及びパネルの連結部の下部の隙間を隠すことができる構造体を提供することを目的とする。
【課題を解決するための手段】
【０００６】
本発明のうち請求項１の発明は、一方パネルと、他方パネルと、一方カバーと、他方カバーと、パネルコーナー隠し材と、カバーコーナー隠し材を備え、一方パネルと他方パネルは、パネルコーナー隠し材により回動自在に連結してあって、それぞれ立設してあり、一方パネルと他方パネルの下端に、それぞれ設置面との間の隙間を隠す一方カバーと他方カバーを設けてあり、一方カバーと他方カバーは、カバーコーナー隠し材によりパネルコーナー隠し材と同軸上で回動自在に連結してあり、パネルコーナー隠し材の下端に、カバーコーナー隠し材が当接していることを特徴とする。
【０００７】
本発明のうち請求項２の発明は、一方パネルと、他方パネルと、一方カバーと、他方カバーと、パネルコーナー隠し材と、カバーコーナー隠し材を備え、一方パネルと他方パネルは、パネルコーナー隠し材により回動自在に連結してあって、それぞれ立設してあり、一方パネルと他方パネルの下端に、それぞれ設置面との間の隙間を隠す一方カバーと他方カバーを設けてあり、一方カバーと他方カバーは、カバーコーナー隠し材によりパネルコーナー隠し材と同軸上で回動自在に連結してあり、一方パネルと他方パネルに対して、それぞれ一方カバーと他方カバーが見込方向からネジ止めしてあり、一方カバーと他方カバーに対して、カバーコーナー隠し材が見込方向からネジ止めしてあることを特徴とする。
【発明の効果】
【０００８】
本発明のうち請求項１の発明によれば、一方パネル及び他方パネルと設置面の間の隙間並びに両パネルの連結部の下部の隙間をすべて隠すことができるものであり、パネル同士を連結するパネルコーナー隠し材とカバー同士を連結するカバーコーナー隠し材の回転軸が同軸上に位置しているので、任意の角度で連結した状態で立設した両パネルに、両カバーを取り付けられる。また、パネルコーナー隠し材の下端にカバーコーナー隠し材が当接するものであって、パネルコーナー隠し材とカバーコーナー隠し材を連結する必要がないので、施工が容易である。
【０００９】
本発明のうち請求項２の発明によれば、一方パネル及び他方パネルと設置面の間の隙間並びに両パネルの連結部の下部の隙間をすべて隠すことができるものであり、パネル同士を連結するパネルコーナー隠し材とカバー同士を連結するカバーコーナー隠し材の回転軸が同軸上に位置しているので、任意の角度で連結した状態で立設した両パネルに、両カバーを取り付けられる。また、一方パネル及び他方パネルと一方カバー及び他方カバーとの取り付け並びに一方カバー及び他方カバーとカバーコーナー隠し材との取り付けは、何れも見込方向からネジ止めにより行うので、一方パネル及び他方パネルの立設後に、一方カバー及び他方カバーとカバーコーナー隠し材を後付けすることができる。
【図面の簡単な説明】
【００１０】
【図１】（ａ）はカバーコーナー隠し材及びパネルコーナー隠し材下端部の正面図であり、（ｂ）は（ａ）のＡ−Ａ線断面図である。
【図２】一方パネル下端部の縦断面図である。
【図３】一方パネル及び他方パネルとパネルコーナー隠し材の連結部を示す分解斜視図である。
【図４】一方カバーとカバーコーナー隠し材の連結部を示す分解斜視図である。
【図５】構造体の正面図である。
【図６】連結部の横断面図であり、（ａ）は出隅の場合、（ｂ）は入隅の場合を示す。
【発明を実施するための形態】
【００１１】
以下、本発明の実施の形態を図面に基づいて説明する。この構造体は、種々の用途に用いられるものであるが、ここでは住宅の敷地境界などに設置されるフェンスの場合を例に挙げる。図５に示すように、このフェンスは、左右に並べて立設した支柱５の前側に、左右に連結された２枚のパネル（左側の一方パネル１ａと右側の他方パネル１ｂ）を取り付けたものであり、前側が道路側、後側が家側となる。ただし、一方パネル１ａと他方パネル１ｂとは、垂直軸周りに任意の角度で連結されるものであり、支柱５は一直線上に並んでいなくてもよい。一方パネル１ａと他方パネル１ｂは、何れも上桟１１ａ，１１ｂと、下桟１２ａ，１２ｂと、左右の縦桟１３ａ，１３ｂを有していて、各桟を四周に組んだ内周側に面材や格子材を設けて面状に形成してある。なお、支柱５、上桟１１ａ，１１ｂ、下桟１２ａ，１２ｂ及び縦桟１３ａ，１３ｂは、何れもアルミ製の押出形材からなる。
【００１２】
また、一方パネル１ａと他方パネル１ｂの下桟１２ａ，１２ｂの下端部には、それぞれ下桟１２ａ，１２ｂと設置面との間の隙間を前側から隠す一方カバー２ａと他方カバー２ｂを設けてある。図２に示すように、一方カバー２ａ及び他方カバー２ｂは、取付具６を介して下桟１２ａ，１２ｂに取り付けてある。なお、図２は一方カバー２ａを示すものであるが、他方カバー２ｂについても同様である。取付具６は、垂直面からなるパネル取付部６１と、パネル取付部６１の下端から後側に向けて延びる連結部６３と、連結部６３の後端から下側に向けて延びるカバー取付部６２を備える金具であり、パネル取付部６１を、一方パネル１ａ及び他方パネル１ｂの下桟１２ａ，１２ｂの下端部の前側面に当接させ、前側からネジ止めしてある。また、一方カバー２ａ及び他方カバー２ｂは、アルミ形材からなり、一方パネル１ａ及び他方パネル１ｂと同じ幅であり、図１及び図２に示すように、垂直面からなる固定部２１ａ，２１ｂと、固定部２１ａ，２１ｂの上端から前側に向けて延びる連結部２４ａ，２４ｂと、連結部２４ａ，２４ｂの前端から上側に向けて延びる被覆部２２ａ，２２ｂと、連結部２４ａ，２４ｂの前端から下側に向けて延びる隙間隠し部２３ａ，２３ｂを備え、被覆部２２ａ，２２ｂと隙間隠し部２３ａ，２３ｂは上下一連の垂直面となっている。連結部２４ａ，２４ｂの前後方向長さは、取付具６の前後方向長さと同じである。また、隙間隠し部２３ａ，２３ｂの下端部にはタイト材２５ａ，２５ｂを取り付けてある。そして、一方カバー２ａ及び他方カバー２ｂの固定部２１ａ，２１ｂを、取付具６のカバー取付部６２に前側から当接させて、後側からネジ止めしてある。この際、被覆部２２ａ，２２ｂが、パネル取付部６１に前側から当接して、パネル取付部６１の全体を前側から覆っており、隙間隠し部２３ａ，２３ｂの下端のタイト材２５ａ，２５ｂが、設置面に当接しており、隙間隠し部２３ａ，２３ｂが、一方パネル１ａ及び他方パネル１ｂの下桟１２ａ，１２ｂと設置面との間の隙間を前側から隠している。
【００１３】
そして、図１及び図３に示すように、一方パネル１ａと他方パネル１ｂとは、パネルコーナー隠し材３により連結してある。パネルコーナー隠し材３は、一方羽根格子３１ａ及び他方羽根格子３１ｂと、上端部品３２及び下端部品３３からなる。一方羽根格子３１ａと他方羽根格子３１ｂは、上下に延びる平板部３１１ａ，３１１ｂと、平板部３１１ａ，３１１ｂの左右方向中央側（一方羽根格子３１ａの右側、他方羽根格子３１ｂの左側）に形成した断面略Ｃ字形の軸部３１２ａ，３１２ｂからなる。一方羽根格子３１ａの軸部３１２ａの方が、他方羽根格子３１ｂの軸部３１２ｂよりも一回り大きく、一方羽根格子３１ａの軸部３１２ａが他方羽根格子３１ｂの軸部３１２ｂを呑み込んでいて、一方羽根格子３１ａと他方羽根格子３１ｂが垂直軸周りに回動自在に連結されている。なお、この回転軸が、両羽根格子３１ａ，３１ｂの平板部３１１ａ，３１１ｂに対して前後方向にずれるように、軸部３１２ａ，３１２ｂを片寄らせて形成してあり、図３に示す例では、後側に片寄っている。また、上端部品３２と下端部品３３は、一方羽根格子３１ａと他方羽根格子３１ｂの上端と下端に設けてあり、略上下に対称な構造であって、ここでは図１に基づき、下端部品３３について説明する。下端部品３３は、略円柱形状の上側円柱材３３１と下側円柱材３３２を備え、これらを上下に積み重ねて垂直軸周りに回動自在に連結してある。上側円柱材３３１は一方側（左側）端部が下側円柱材３３２の下端まで延びており、下側円柱材３３２は他方側（右側）端部が上側円柱材３３１の上端まで延びていて、上側円柱材３３１から左側に、下側円柱材３３２から右側に向けて突出する挿入部３３３をそれぞれ形成してある。また、一方羽根格子３１ａの下端部は、上側円柱材３３１に固定してあり、他方羽根格子３１ｂの下端部は、下側円柱材３３２に固定してあって、一方羽根格子３１ａ及び他方羽根格子３１ｂと下端部品３３の回転軸が一致している。同様に、上端部品３２も左右の挿入部３２３を有し、一方羽根格子３１ａと他方羽根格子３１ｂを固定してあって、一方羽根格子３１ａ及び他方羽根格子３１ｂと、上端部品３２と、下端部品３３が、一体かつ垂直軸周りに回動自在となっている。そして、図３に示すように、上端部品３２の左右の挿入部３２３をそれぞれ一方パネル１ａと他方パネル１ｂの上桟１１ａ，１１ｂの中空部に挿入し、下端部品３３の左右の挿入部３３３をそれぞれ一方パネル１ａと他方パネル１ｂの下桟１２ａ，１２ｂの中空部に挿入して、後側からネジ止めして固定してある。この際、一方羽根格子３１ａの平板部３１１ａの左端辺が一方パネル１ａの縦桟１３ａに当接し、他方羽根格子３１ｂの平板部３１１ｂの右端辺が他方パネル１ｂの縦桟１３ｂに当接して、一方パネル１ａと他方パネル１ｂの間の隙間を隠している。このようにして一方パネル１ａと他方パネル１ｂとがパネルコーナー隠し材３によって回動自在に連結してあり、任意の角度で支柱５に固定して立設してある。
【００１４】
さらに、図１及び図４に示すように、一方カバー２ａと他方カバー２ｂとは、カバーコーナー隠し材４により連結してある。カバーコーナー隠し材４は、一方羽根格子４１ａ及び他方羽根格子４１ｂと、一方取付材４２ａ及び他方取付材４２ｂからなる。一方羽根格子４１ａと他方羽根格子４１ｂは、パネルコーナー隠し材３の一方羽根格子３１ａ及び他方羽根格子３１ｂと同一断面形状であって、上下に延びる平板部４１１ａ，４１１ｂと、平板部４１１ａ，４１１ｂの左右方向中央側（一方羽根格子４１ａの右側、他方羽根格子４１ｂの左側）に形成した断面略Ｃ字形の軸部４１２ａ，４１２ｂからなる。一方羽根格子４１ａの軸部４１２ａの方が、他方羽根格子４１ｂの軸部４１２ｂよりも一回り大きく、一方羽根格子４１ａの軸部４１２ａが他方羽根格子４１ｂの軸部４１２ｂを呑み込んでいて、一方羽根格子４１ａと他方羽根格子４１ｂが垂直軸周りに回動自在に連結されている。なお、この回転軸が、両羽根格子４１ａ，４１ｂの平板部４１１ａ，４１１ｂに対して前後方向にずれるように、軸部４１２ａ，４１２ｂを片寄らせて形成してあり、図１及び図４に示す例では、後側に片寄っている。また、一方取付材４２ａと他方取付材４２ｂは、一方羽根格子４１ａ及び他方羽根格子４１ｂと同じ高さであって、両羽根格子４１ａ，４１ｂの平板部４１１ａ，４１１ｂの前側に位置する見付壁面からなる羽根格子取付面４２１ａ，４２１ｂと、羽根格子取付面４２１ａ，４２１ｂよりも左右方向端部側（一方取付材４２ａにおいて左側、他方取付材４２ｂにおいて右側）かつ後側に位置する見付壁面からなるカバー取付面４２２ａ，４２２ｂと、羽根格子取付面４２１ａ，４２１ｂの左右方向中央側端部から左右方向端部側前方（見込方向に対して傾斜する方向）に延び、途中で屈曲して左右方向端部側向けて延びる前側面４２３ａ，４２３ｂを有している。そして、両羽根格子４１ａ，４１ｂの平板部４１１ａ，４１１ｂが羽根格子取付面４２１ａ，４２１ｂに後側から当接していて、後側からネジ止めしてあり、一方羽根格子４１ａ及び他方羽根格子４１ｂと一方取付材４２ａ及び他方取付材４２ｂが一体となって、カバーコーナー隠し材４を構成している。また、一方カバー２ａと他方カバー２ｂの対向する小口には、それぞれ一方小口キャップ７ａと他方小口キャップ７ｂを取り付けてある。一方小口キャップ７ａ及び他方小口キャップ７ｂは、矩形平板状で前側部分（両カバー２ａ，２ｂの被覆部２２ａ，２２ｂに対応する部分）が上方に延びた小口隠し部７１ａ，７１ｂと、各カバー２ａ，２ｂ側（一方小口キャップ７ａにおいて左側、他方小口キャップ７ｂにおいて右側）に向けて延びる挿入部７２ａ，７２ｂを有しており、挿入部７２ａ，７２ｂが、各カバー２ａ，２ｂの固定部２１ａ，２１ｂの前側に挿入されており、小口隠し部７１ａ，７１ｂが、各カバー２ａ，２ｂの小口を覆い隠している。そして、カバーコーナー隠し材４の両取付材４２ａ，４２ｂのカバー取付面４２２ａ，４２２ｂが、一方カバー２ａ及び他方カバー２ｂの固定部２１ａ，２１ｂに後側から当接していて、後側から固定部２１ａ，２１ｂを貫通して各小口キャップ７ａ，７ｂの挿入部７２ａ，７２ｂにネジ止めしてある。この際、両取付材４２ａ，４２ｂの前側面４２３ａ，４２３ｂの先端が各小口キャップ７ａ，７ｂの小口隠し部７１ａ，７１ｂに当接しており、カバーコーナー隠し材４の両羽根格子４１ａ，４１ｂ及び両取付材４２ａ，４２ｂの上端がパネルコーナー隠し材３の下端部品３３の下端面に当接しており、パネルコーナー隠し材３の下側部分において一方カバー２ａと他方カバー２ｂの間の隙間を隠している。そして、カバーコーナー隠し材４の両羽根格子４１ａ，４１ｂの回転軸が、パネルコーナー隠し材３の両羽根格子３１ａ，３１ｂの回転軸と同軸上に位置しており、このようにして一方カバー２ａと他方カバー２ｂとがカバーコーナー隠し材４によって回動自在に連結してある。
【００１５】
このように構成した本発明の構造体によれば、一方カバー２ａ及び他方カバー２ｂによって、一方パネル１ａ及び他方パネル１ｂと設置面の間の隙間を隠し、カバーコーナー隠し材４によって、両パネル１ａ，１ｂの連結部（パネルコーナー隠し材３）の下部の隙間を隠すものであり、すべての隙間が隠される。そして、パネル１ａ，１ｂ同士を連結するパネルコーナー隠し材３とカバー２ａ，２ｂ同士を連結するカバーコーナー隠し材４の回転軸が同軸上に位置しているので、任意の角度で連結した状態で立設した両パネル１ａ，１ｂに、両カバー２ａ，２ｂを取り付けられる。よって、図６（ａ）に示す出隅の場合や、図６（ｂ）に示す入隅の場合にも対応できる。なお、パネルコーナー隠し材３の両羽根格子３１ａ，３１ｂとカバーコーナー隠し材４の両羽根格子４１ａ，４１ｂが、出隅の場合と入隅の場合とで前後逆向きに取り付けてあり、出隅の場合、回転軸が後側に片寄る向きとなり、入隅の場合、回転軸が前側に片寄る向きとなる。すなわち、両パネル１ａ，１ｂのなす角が劣角となる側（パネル１ａ，１ｂ同士が接近する側）に回転軸が片寄っているものであり、これによって、劣角側の角度が小さくなってもパネル１ａ，１ｂ同士が接触しないようにしてある。そして、図６（ｂ）に示すように、取付材４２ａ，４２ｂの前側面４２３ａ，４２３ｂの左右方向中央側が傾斜しているのも、劣角側で対向した際に互いに接触しないようにしたものである。
【００１６】
また、パネル１ａ，１ｂとカバー２ａ，２ｂとの取り付けは、前後方向からのネジ止めで行い、カバー２ａ，２ｂとカバーコーナー隠し材４との取り付けは、後側からのネジ止めで行うものであり、何れも見込方向からのネジ止めであること、及び、こうしてカバーコーナー隠し材４を取り付けることで上端がパネルコーナー隠し材３の下端に当接するので、パネルコーナー隠し材３とカバーコーナー隠し材４を連結する必要がないことから、パネル１ａ，１ｂの立設後に、カバー２ａ，２ｂとカバーコーナー隠し材４を後付けすることができる。さらに、カバー２ａ，２ｂの取付具６はパネル１ａ，１ｂに前側からネジ止めするが、このネジはカバー２ａ，２ｂの被覆部２２ａ，２２ｂで覆い隠される。その他、カバー２ａ，２ｂを取付具６にネジ止めするネジ及び両取付材４２ａ，４２ｂを両カバー２ａ，２ｂにネジ止めするネジは、何れも後側からネジ止めしてあって、ネジの軸は前側からカバー２ａ，２ｂにより覆い隠され、カバーコーナー隠し材４の両羽根格子４１ａ，４１ｂを両取付材４２ａ，４２ｂにネジ止めするネジは、後側からネジ止めしてあって、ネジの軸は前側から前側面４２３ａ，４２３ｂにより覆い隠されるものであるから、何れのネジも前側からは見えず、意匠性が良好である。また、パネルコーナー隠し材３の両羽根格子３１ａ，３１ｂとカバーコーナー隠し材４の両羽根格子４１ａ，４１ｂが同一断面形状なので、コーナーの上下で形状が揃って意匠性が良好であるとともに、製造費用が抑えられる。
【００１７】
本発明は、上記の実施形態に限定されない。たとえば、パネル体を３枚以上有し、パネルコーナー隠し材３及びカバーコーナー隠し材４を２つずつ以上設けたものであってもよい。また、カバーコーナー隠し材４において、羽根格子と取付材は一体に形成したものであってもよい。さらに、各部の形状や連結構造は、上記の要件を満たす限り、どのようなものであってもよい。
【符号の説明】
【００１８】
１ａ  一方パネル
１ｂ  他方パネル
２ａ  一方カバー
２ｂ  他方カバー
３  パネルコーナー隠し材
４  カバーコーナー隠し材
【図１】
2018115431.tif 000003
【図２】
2018115431.tif 000004
【図３】
2018115431.tif 000005
【図４】
2018115431.tif 000006
【図５】
2018115431.tif 000007
【図６】
2018115431.tif 000008